(57)【要約】【課題】液晶パネルとフレームとを両面テープで確実に固定することができるとともに、薄型化や低コスト化を図ることができる液晶装置、および液晶装置を備えた電子機器を提供すること。【解決手段】液晶装置１００において、液晶パネル１とフレーム９の段部９１１とは両面テープ２８によって直接接着され、下偏光板４２などの光学シート４０は、フレーム９の内側において段部９１１より低い位置に配置されている。両面テープ２８の外周縁２８ｅは、液晶パネル１の外周縁１ｅと重なる位置にある。両面テープ２８は、段部９１１からフレーム９の内側に向けて張り出した張り出し部分２８１を備え、張り出し部分２８１の表面は、液晶パネル１の裏面に接着し、張り出し部分２８１の裏面は下偏光板４２の表面側端部に接着されている。【選択図】図１
2010085548.tif 000002
【特許請求の範囲】
【請求項１】
液晶パネルと、
該液晶パネルの裏面側外周縁を支持する段部が内周に形成されたフレームと、
該フレームにおいて前記段部より内側で前記液晶パネルの裏面側に重ねて配置された１
乃至複数枚の光学シートと、
前記段部と前記液晶パネルとの間に配置されて前記段部と前記液晶パネルとを接着する
両面テープと、
を有することを特徴とする液晶装置。
【請求項２】
前記両面テープは、前記段部から前記フレームの内側に向けて張り出した張り出し部分
を備え、
前記張り出し部分の表面は、前記液晶パネルの裏面に接着し、
前記張り出し部分の裏面は、前記１乃至複数枚の光学シートのうち、最も前記液晶パネ
ル側に位置する光学シートの表面側端部に接着されていることを特徴とする請求項１に記
載の液晶装置。
【請求項３】
前記両面テープの外周縁は、前記液晶パネルの外周縁と重なる位置、あるいは前記液晶
パネルの外周縁より外側位置にあることを特徴とする請求項１または２に記載の液晶装置
。
【請求項４】
前記１乃至複数枚の光学シートのうち、最も前記液晶パネル側に位置する光学シートは
下偏光板であることを特徴とする請求項１乃至３の何れか一項に記載の液晶装置。
【請求項５】
前記液晶パネルと、前記１乃至複数枚の光学シートのうち、最も前記液晶パネル側に位
置する光学シートとの間には透光性の充填材が充填されていることを特徴とする請求項１
乃至４の何れか一項に記載の液晶装置。
【請求項６】
前記両面テープは、遮光性両面テープであることを特徴とする請求項１乃至５の何れか
一項に記載の液晶装置。
【請求項７】
前記フレームは、前記１乃至複数枚の光学シートを裏面側で支持する底部を備え、
当該底部上に、反射シート、バックライト用導光板、および前記１乃至複数枚の光学シ
ートが順に重ねて配置されていることを特徴とする請求項１乃至６の何れか一項に記載の
液晶装置。
【請求項８】
請求項１乃至７の何れか一項に記載の液晶装置を備えていることを特徴とする電子機器
。
【発明の詳細な説明】
【技術分野】
【０００１】
本発明は、フレームの内側に液晶パネルに保持された液晶装置、および該液晶装置を備
えた電子機器に関するものである。
【背景技術】
【０００２】
透過型あるいは半透過反射型の液晶装置は、図７に示すように、フレーム９Ｘの内側で
、反射シート２７、バックライト用の導光板６、複数枚の光学シート４０、液晶パネル１
、上偏光板４１が順に重ねて配置された構造になっており、複数枚の光学シート４０にお
いて、最も液晶パネル側には下偏光板４２が位置する。フレーム９Ｘは、金属フレーム９
２Ｘと樹脂フレーム９１Ｘとから構成されており、樹脂フレーム９１Ｘの内周には段部９
１１が形成されている。従って、樹脂フレーム９１Ｘの段部９１１によって、液晶パネル
１を支持することができる。また、裏面側の光学シート４０のうち、最も液晶パネル１側
に位置する下偏光板４２を液晶パネル１の裏面に接着剤層５１により接着するとともに、
下偏光板４２の裏面側と段部９１１との間に両面テープ２８を配置すれば、両面テープ２
８および下偏光板４２を介して液晶パネル１をフレーム９Ｘの段部９１１に固定すること
ができる。ここで、下偏光板４２は、液晶パネル１よりサイズが小さく、下偏光板４２の
外周縁は、液晶パネル１の外周縁より内側に位置している。
【０００３】
このような液晶装置１００Ｘでは、両面テープ２８によって、下偏光板４２を介してフ
レーム９Ｘに液晶パネル１を固定した構造になっているが、液晶パネル１に接続されたフ
レキシブル基板（図示せず）を曲げた際の反力や、輸送中の振動、湿度変化などによって
、液晶パネル１がフレーム９Ｘの段部９１１から剥がれるという問題や段部９１１から浮
いてしまうなどの問題が発生することがある。かかる不具合は表示品位を低下させるので
、好ましくない。このため、フレーム９Ｘの上面に上金枠（図示せず）を被せ、かかる上
金枠で液晶パネル１をフレーム９Ｘとの間に挟持した構成を採用することが多い。
【０００４】
また、液晶パネル１のフレーム９Ｘからの剥がれや浮きを防止する目的で、液晶パネル
１の表面において上偏光板４１から露出する端部とフレーム９Ｘの上端部とにかけて、ポ
リオレフィンやフッ素樹脂などの熱収縮性の固定部材を設けた構成が提案されている（特
許文献１参照）。
【特許文献１】特開２００７−２１９４２８号公報
【発明の開示】
【発明が解決しようとする課題】
【０００５】
しかしながら、液晶パネル１には、薄型、小型化、低コスト化が要求されているため、
液晶パネル１をフレーム９Ｘとの間に挟持する上金枠を省略したいが、上金枠を省略する
と、液晶パネル１のフレーム９Ｘからの剥がれや浮きを防止することができない。特に、
液晶パネル１を小型化した場合や狭額縁化した場合、非表示領域や下偏光板４２が小さく
なっているため、下偏光板４２と両面テープ２８との接着領域の幅寸法Ｗ１１が狭くなっ
ている。このため、液晶パネル１を小型化した場合には、両面テープ２８による液晶パネ
ル１の固定強度が小さくなるので、上金枠を省略するのが増々困難な状況にある。
【０００６】
一方、特開２００７−２１９４２８号公報で提案されているような熱収縮性の固定部材
を追加した構成は、それだけでもコストが増大する原因となるとともに、フレーム９Ｘの
上面と液晶パネル１の表面との高さ位置を合わせる必要があるという設計上の制約がある
。このため、熱収縮性の固定部材を追加した構成を採用することは困難である。
【０００７】
さらに、液晶パネル１の薄型化を図るにあたっては、画像の表示などに直接寄与しない
部分を省略したいという要求がある。例えば、下偏光板４２と液晶パネル１とを接着する
接着剤層５１は、１０μｍ程度の厚さを占めているので、接着剤層５１を省略することが
好ましいが、接着剤層５１を省略すると、両面テープ２８および下偏光板４２を介して液
晶パネル１をフレーム９Ｘの段部９１１に固定することができなくなってしまう。
【０００８】
以上の問題点に鑑みて、本発明の課題は、液晶パネルとフレームとを両面テープで確実
に固定することができるとともに、薄型化や低コスト化を図ることができる液晶装置、お
よび液晶装置を備えた電子機器を提供することにある。
【課題を解決するための手段】
【０００９】
上記課題を解決するために、本発明に係る液晶装置は、液晶パネルと、該液晶パネルの
裏面側外周縁を支持する段部が内周に形成されたフレームと、該フレームにおいて前記段
部より内側で前記液晶パネルの裏面側に重ねて配置された１乃至複数枚の光学シートと、
前記段部と前記液晶パネルとの間に配置されて前記段部と前記液晶パネルとを接着する両
面テープと、を有することを特徴とする。本発明において、「接着」とは「粘着」を含む
意味である。
【００１０】
本発明に係る液晶装置において、液晶パネルとフレームの段部とは両面テープによって
直接接着されており、偏光板などといった光学シートを介して接着された構成になってい
ない。このため、液晶パネルの小型化や狭額縁化に伴って、偏光板などの光学シートのサ
イズが小さくなっても、液晶パネルと両面テープとを接着する領域が狭くなることはない
。それ故、液晶パネルを小型化しても液晶パネルをフレームに確実に固定することができ
るので、液晶パネルのフレームからの剥がれや浮きを防止することができる。従って、上
金枠によって液晶パネルをフレームとの間に挟持しなくてもよいので、上金枠を省略する
ことができ、低コスト化を図ることができる。さらに、装液晶パネルとフレームの段部と
は両面テープによって直接接着されており、偏光板などといった光学シートを介して接着
された構成になっていない。このため、液晶パネルと偏光板とを接着剤層で固定する必要
がない。それ故、製造工程数を減らすことができるので、低コスト化を図ることができる
。しかも、液晶パネルと偏光板とを固定する接着剤層を省略できるので、その分、液晶装
置の薄型化を図ることができる。
【００１１】
本発明において、前記両面テープは、前記段部から前記フレームの内側に向けて張り出
した張り出し部分を備え、前記張り出し部分の表面は、前記液晶パネルの裏面に接着し、
前記張り出し部分の裏面は、前記１乃至複数枚の光学シートのうち、最も前記液晶パネル
側に位置する光学シートの表面側端部に接着されていることが好ましい。このように構成
すると、両面テープの張り出し部分によって、液晶パネルと、下偏光板などの光学シート
との固定を行なうことができる。
【００１２】
本発明において、前記両面テープの外周縁は、前記液晶パネルの外周縁と重なる位置、
あるいは前記液晶パネルの外周縁より外側位置にあることが好ましい。かかる構成を採用
すると、液晶パネルと段部とが重なっている領域の幅方向の全体を、両面テープによる液
晶パネルとフレームとの接着領域として利用することができる。
【００１３】
本発明では、前記１乃至複数枚の光学シートのうち、最も前記液晶パネル側に位置する
光学シートは下偏光板である。
【００１４】
本発明において、前記液晶パネルと、前記１乃至複数枚の光学シートのうち、最も前記
液晶パネル側に位置する光学シートとの間には透光性の充填材が充填されていることが好
ましい。このように構成すると、液晶パネルと光学シートとの間に空気層が介在しないの
で、界面での反射やニュートンリングの発生を防止することができる。
【００１５】
本発明において、前記両面テープは、遮光性両面テープであることが好ましい。このよ
うに構成すると、バックライト装置からの光が漏れて出射されることを防止することがで
きる。
【００１６】
本発明において、前記フレームは、前記１乃至複数枚の光学シートを裏面側で支持する
底部を備え、当該底部上に、反射シート、バックライト用導光板、および前記１乃至複数
枚の光学シートが順に重ねて配置されていることが好ましい。このように構成すると、フ
レームの底部に、反射シート、バックライト用導光板、および１乃至複数枚の光学シート
などを順次、落とし込んでいくことができるので、これらの部材をフレームの内側に配置
する作業を効率よく行なうことができる。
【００１７】
本発明を適用した液晶装置は、モバイルコンピュータ、携帯電話、カーナビゲーション
、パーソナルコンピュータなどの電子機器に用いられる。
【発明を実施するための最良の形態】
【００１８】
図面を参照して、本発明の実施の形態を説明する。なお、以下の説明で参照する図にお
いては、各層や各部材を図面上で認識可能な程度の大きさとするため、各層や各部材毎に
縮尺を異ならしめてある。また、以下の説明では、図７に示す構成と対応が分りやすいよ
うに、共通する部材については同一の符号を付して説明する。
【００１９】
［実施の形態１］
（液晶装置の全体構成）
図１（ａ）、（ｂ）は各々、本発明の実施の形態１に係る液晶装置の平面図、およびそ
の一部を拡大した平面図である。図２は、本発明の実施の形態１に係る液晶装置の分解斜
視図である。図３（ａ）、（ｂ）は各々、本発明の実施の形態１に係る液晶装置を、図１
のＡ１−Ａ１′線、およびＢ１−Ｂ１′線に相当する位置で切断したときの様子を模式的
に示す断面図である。図４は、本発明の実施の形態１に係る液晶装置を、図１のＣ１−Ｃ
１′線に相当する位置で切断したときの断面図である。なお、図１（ａ）、（ｂ）には、
後述する両面テープ２８の貼付範囲を右下がりの斜線が３本一組になって付されている領
域として示してある。また、図１（ａ）、（ｂ）において、後述する下偏光板４２の外周
縁は長い点線で示し、後述する段部９１１の内周縁は、一点鎖線で示してある。
【００２０】
図１（ａ）、図２および図３（ａ）、（ｂ）に示すように、本形態の液晶装置１００は
、透過型あるいは半透過反射型の液晶パネル１と、この液晶パネル１の背面側に配置され
た照明装置８とを有しており、照明装置８および液晶パネル１は、平面矩形形状のフレー
ム９の内側に保持されている。フレーム９は、矩形枠状の樹脂フレーム９１と、この樹脂
フレーム９１を外側で支持する箱状の金属フレーム９２とからなる。かかる構成のフレー
ム９は、樹脂フレーム９１と金属フレーム９２とを別体に形成した後、重ね合わせること
により構成することができる。また、フレーム９は、金属フレーム９２をインサート成形
あるいはアウトサート成形することにより、樹脂フレーム９１と金属フレーム９２とを一
体に構成することもできる。本形態において、フレーム９は、ポリカーボネート樹脂など
からなる樹脂フレーム９１と、金属フレーム９２とのインサート成形品からなる。
【００２１】
樹脂フレーム９１は、４つの側板部９１７のうち、フレキシブル基板７の引き出し側に
位置する１つの側板部９１７ａに切り欠き９１４が形成され、残り３つの側板部９１７の
内側（フレーム９の内周）に、液晶パネル１を上面で受ける段部９１１が形成されている
。本形態において、段部９１１は、４つの側板部９１７のうち、フレキシブル基板７の引
き出し側に位置する側板部９１７ａを除く３つの側板部９１７の内周に連続して形成され
ている。樹脂フレーム９１において、フレキシブル基板７の引き出し側に位置する側板部
９１７の近傍は、段部９１１の途切れ部分９１５になっており、段部９１１が形成されて
いない。
【００２２】
金属フレーム９２は、矩形の底板部９２５（底部）と、底板部９２５の外縁で起立する
４つの側板部９２７とを備えており、フレキシブル基板７の引き出し側に位置する１つの
側板部９２７ａは、他の辺に位置する側板部９２７に比して高さ寸法が低くなっている。
金属フレーム９２の底板部９２５には、矩形の開口部９２５ａが形成されている。また、
金属フレーム９２の側板部９２７は、フレキシブル基板７の引き出し側に位置する１つの
側板部９２７ａを除いて、先端部分が折り返された構造になっている。
【００２３】
液晶パネル１は、素子基板１１と、この素子基板１１の第１面１１ａ（一方面）に対向
配置された対向基板１２と、基板周縁部で素子基板１１と対向基板１２とを貼り合わせる
矩形枠状のシール材１３とを備えており、素子基板１１、対向基板１２およびシール材１
３により形成された空間内に保持された液晶層１４が保持されている。素子基板１１は、
対向基板１２の端部より突出する張り出し領域１８を備えている。本形態において、素子
基板１１および対向基板１２はいずれも、基体がガラスなどの透光性の絶縁基板である。
【００２４】
素子基板１１において対向基板１２に対向する第１面１１ａ上には島状のＩＴＯ（Indi
um Tin Oxide）膜やＩＺＯ（Indium Zinc Oxide）膜からなる画素電極１６や、画素スイ
ッチング素子、走査線やデータ線などの信号線（図示せず）などが形成され、画素電極１
６を覆うようにポリイミドなどからなる配向膜（図示せず）が形成されている。本形態に
おいて、液晶パネル１は、インプレンスイッチング（以下、ＩＰＳ(In Plane Switching)
という）方式や、フリンジフィールドスイッチング（以下、ＦＦＳ（Fringe Field Switc
hing）という）方式の液晶パネルであり、横電界により液晶層１４を駆動する。従って、
素子基板１１にはＩＴＯ膜やＩＺＯ膜からなる共通電極１７も形成されている。このため
、対向基板１２において素子基板１１と対向する第１面１２ａには、共通電極１７が形成
されていない。ＩＰＳ方式の場合、画素電極１６と共通電極１７が横方向で対向する構成
が採用され、ＦＦＳ方式の場合、画素電極１６および共通電極１７は誘電体膜を挟んで上
下の異なる層に形成された構成が採用される。但し、図３（ａ）、（ｂ）では、ＦＦＳ方
式の場合もＩＰＳ方式と同様、画素電極１６と共通電極１７が横方向で対向するように模
式的に示してある。なお、対向基板１２の第１面１２ａにはカラーフィルタ（図示せず）
などが形成されることもある。また、本形態の液晶装置１００では、液晶パネル１がＴＮ
（Twisted Nematic）方式、ＥＣＢ（Electrically Controlled Birefringence）方式、あ
るいはＶＡＮ（Vertical Aligned Nematic）方式の液晶パネルとして構成される場合があ
り、この場合、素子基板１１に画素電極１６が形成され、対向基板１２に共通電極が形成
される。
【００２５】
かかる液晶パネル１において、対向基板１２では、素子基板１１と対向する第１面１２
ａとは反対側の第２面１２ｂに上偏光板４１が重ねて配置され、素子基板１１では、対向
基板１２と対向する第１面１１ａとは反対の第２面１１ｂの側には、下偏光板４２を含む
複数枚の光学シート４０が重ねて配置されている。
【００２６】
このように構成した液晶装置１００では、照明装置８から出射された光が素子基板１１
の側から入射し、かかる入射光を光変調して対向基板１２の側から出射して画像を表示す
る。
【００２７】
図１（ａ）、図２および図３（ａ）に示すように、素子基板１１の張り出し領域１８に
は、駆動用ＩＣ９８が異方性導電フィルムなどにより実装されており、張り出し領域１８
の端部には、フレキシブル基板７が接続されている。このため、外部から供給される各種
信号や電源を、フレキシブル基板７を介して液晶パネル１に入力することができる。フレ
キシブル基板７では、その本体部分７８から帯状部分７２が延びており、かかる帯状部分
７２の先端部には、長手方向を液晶パネル１の幅方向に向けた光源実装部７１が形成され
ている。光源実装部７１には、照明装置８の点状光源３が実装されており、点状光源３に
は、フレキシブル基板７を介して光源駆動用電圧が供給される。フレキシブル基板７にお
いて、点状光源３が実装されている面側には、表面実装型のキャパシタなど電子部品３５
も実装されている。本形態において、点状光源３は表面実装型の白色ＬＥＤであり、フレ
キシブル基板７の光源実装部７１の面に対して平行な方向に出射光軸Ｌを向けて所定の間
隔で複数、実装されている。フレキシブル基板７は多層基板あるいは両面基板であり、光
源実装部７１を点状光源３が実装されている側とは反対側からみたとき、点状光源３が実
装されている領域と平面視で重なる領域には、導電パターン７４２が形成されている。導
電パターン７４２はベタのグランドパターンであり、所定領域にわたって隙間なく一面に
形成されている。このため、導電パターン７４２は、点状光源３に対する遮光用、電磁シ
ールド用、あるいは放熱用に利用される。
【００２８】
（照明装置８の全体構成）
照明装置８は、液晶パネル１の素子基板１１に光放出面６ａを向ける略矩形の導光板６
と、導光板６の端部６ｅに沿うように配置された白色ＬＥＤからなる複数の点状光源３と
を有している。また、照明装置８は、導光板６において光放出面６ａとは反対側の裏面６
ｂに重ねて配置された反射シート２７を備えている。さらに、照明装置８は、導光板６の
光放出面６ａの側に、光学シート４０として、矩形状の散乱板２３、矩形状のプリズムシ
ート２４、および矩形状のプリズムシート２５を備えている。導光板６は、点状光源３か
ら出射された光を液晶パネル１の面内に均一に照射するためのものであり、アクリル樹脂
やポリカーボネートなどの透光性材料からなる。散乱板２３は、表示画面内の光の輝度を
より均一化させるためのものである。プリズムシート２４、２５は、出射光の配向角を調
整し、正面の輝度を向上させるためのものである。
【００２９】
導光板６の端部６ｅには、その辺に沿って所定の間隔に切り欠き状の光源配置穴６１が
形成されており、その内壁の１つが、点状光源３から出射された光が入射する光入射部６
１ａになっている。従って、フレキシブル基板７において、光源実装部７１の点状光源３
が実装されている側の面が下向きとなるように帯状部分７２を折り曲げて、導光板６の端
部６ｅに光源実装部７１を重ねると、複数の点状光源３は各々、光出射面３ａを光入射部
６１ａに向けて光源配置穴６１に配置される。かかる状態を保持することを目的に、導光
板６の端部６ｅに沿っては、下面に粘着剤層が形成された遮光シート２９が貼られている
。遮光シート２９には、導光板６の光源配置穴６１と平面視で重なる位置に矩形の開口部
２９１が形成されている。従って、遮光シート２９の上にフレキシブル基板７の光源実装
部７１を重ねると、開口部２９１を介して複数の点状光源３が各々、光源配置穴６１に配
置される。
【００３０】
（液晶パネル１のフレーム９への固定構造）
図５（ａ）、（ｂ）は各々、本発明の実施の形態１に係る液晶装置を、図１のＥ１−Ｅ
１′線に相当する位置で切断したときの断面図、およびその拡大断面図である。
【００３１】
本形態の液晶装置１００において、液晶パネル１をフレーム９の内側に固定するにあた
って、図１（ａ）、（ｂ）、図２、図３（ａ）、（ｂ）および図５（ａ）、（ｂ）に示す
ように、樹脂フレーム９１の側板部９１７に形成された段部９１１によって液晶パネル１
の裏面側外周縁を支持するとともに、段部９１１と液晶パネル１との間に両面テープ２８
を配置する。
【００３２】
かかる両面テープ２８は、フィルム基材の両面に粘着層を備えている。このため、両面
テープ２８の表面側は、液晶パネル１に接着するとともに、裏面側がフレーム９の段部９
１１に接着する。従って、本形態において、下偏光板４２は、段部９１１の内周縁よりも
内側に入るサイズに形成されており、下偏光板４２は、反射シート２７、導光板６、散乱
板２３、プリズムシート２４、２５と同様、段部９１１の内側で液晶パネル１の裏面側に
重ねて配置されている。この状態で、下偏光板４２の表面は、段部９１１と略同等の高さ
位置にある。このため、液晶パネル１と下偏光板４２との間には、両面テープ２８の厚さ
に相当する隙間１９が形成されており、かかる隙間１９は空気層になっている。
【００３３】
本形態において、両面テープ２８は、厚さが５０〜６０μｍの遮光テープである。両面
テープ２８は、下面側が白色あるいは銀色の反射面になっている一方、上面側は黒色の光
吸収面になっている。
【００３４】
図５（ａ）、（ｂ）に示すように、液晶パネル１は、樹脂フレーム９１の側板部９１７
で囲まれた領域よりもやや小さなサイズであり、液晶パネル１の外周縁１ｅと樹脂フレー
ム９１の側板部９１７の内周面との間に隙間Ｓ１を隔てるように配置されている。また、
両面テープ２８の外周縁２８ｅは、液晶パネル１の外周縁１ｅと重なる位置にある。この
ため、両面テープ２８の外周縁１ｅは、樹脂フレーム９１の側板部９１７の内周面との間
に、液晶パネル１と同様、隙間Ｓ１を隔てている。
【００３５】
ここで、両面テープ２８は、段部９１１より幅寸法が大であり、両面テープ２８は、段
部９１１からフレーム９の内側に向けて張り出した張り出し部分２８１を備えている。か
かる両面テープ２８の張り出し部分２８１の表面側は液晶パネル１の裏面に接着し、張り
出し部分２８１の裏面は、下偏光板４２の表面側端部に接着されている。
【００３６】
このため、両面テープ２８は、幅寸法Ｗ１をもって段部９１１に接着し、幅寸法Ｗ２を
もって液晶パネル１に接着し、幅寸法Ｗ３をもって下偏光板４２に接着している。
【００３７】
なお、液晶装置１００を後述する電子機器に搭載すると、図５（ａ）に示すように、窓
状の開口部２１を備えた枠状の額縁２によって覆われる。従って、開口部２１に対応する
領域が、液晶パネル１から出射された表示光が通過する画像表示領域２２となる。従って
、本形態において、両面テープ２８の内周縁２８ｆは、開口部２１の内周縁（画像表示領
域２２の外周縁）よりも外側に位置し、両面テープ２８の内周縁２８ｆと、開口部２１の
内周縁（画像表示領域２２の外周縁）との間には、平面視で約０．５ｍｍ程度のマージン
Ｓ５が確保されている。
【００３８】
なお、図５を参照して説明した断面構成は、液晶装置１００を、図１（ａ）のＦ１−Ｆ
１′線で切断したときの断面構成、および図１（ａ）のＧ１−Ｇ１′線で切断したときの
断面構成と同様である。このため、液晶装置１００を、図１（ａ）のＦ１−Ｆ１′線で切
断したときの断面構成、および図１（ａ）のＧ１−Ｇ１′線で切断したときの断面構成に
ついては説明を省略する。
【００３９】
（液晶装置１００の組み立て方法）
本形態の液晶装置１００を組み立てるには、図２に示すように、まず、樹脂フレーム９
１の内側において、底板部９２５の上に反射シート２７、導光板６、光学シート４０（散
乱板２３、プリズムシート２４、２５、および下偏光板４２）を順次積層した後、導光板
６の端部６ｅを覆うように遮光シート２９を重ねる。かかる遮光シート２９については、
それ自身を両面テープとして導光板６の端部６ｅに接着した構成を採用してもよい。次に
、フレキシブル基板７において、光源実装部７１の点状光源３が実装されている側の面が
下向きとなるように帯状部分７２を折り曲げて、導光板６の端部６ｅに点光源３を配置す
る。その際、光源実装部７１を遮光シート２９に押し付け、固定する。その結果、照明装
置８が完成する。
【００４０】
一方、液晶パネル１の表面には上偏光板４１を接着しておく。そして、図１（ａ）、（
ｂ）、図３、図５（ａ）、（ｂ）に示すように、液晶パネル１の裏面側に対して外周縁１
ｅに沿うように両面テープ２８を貼った後、両面テープ２８がフレーム９の段部９１１上
に重なるように、液晶パネル１を段部９１１の上に配置する。そして、液晶パネル１を段
部９１１に押し付けて、両面テープ２８を段部９１１に接着する。その際、両面テープ２
８の張り出し部分２８１は、下偏光板４２の上面に接着される。
【００４１】
なお、上記方法に代えて、段部９１１の上に両面テープ２８を接着した後、液晶パネル
１を段部９１１の上に配置してもよい。かかる方法を採用した場合も、液晶パネル１を段
部９１１に押し付けると、両面テープ２８を液晶パネル１に接着することができるととも
に、両面テープ２８の張り出し部分２８１は、下偏光板４２の上面に接着される。
【００４２】
（本形態の主な効果）
以上説明したように、本形態の液晶装置１００では、液晶パネル１とフレーム９の段部
９１１とは両面テープ２８によって直接接着されており、下偏光板４２などといった光学
シート４０を介して接着された構成になっていない。このため、液晶パネル１の小型化や
狭額縁に伴って、非表示領域や下偏光板４２のサイズが小さくなっても、液晶パネル１と
両面テープ２８とを接着する領域が狭くなることはない。
【００４３】
すなわち、液晶パネル１をフレーム９の段部９１１上に両面テープ２８で接着する際、
図７を参照して説明した構成を採用すると、段部９１１と下偏光板４２との重なり幅に相
当する幅寸法Ｗ１１をもって接着できるだけであるが、本形態によれば、図５に示すよう
に、段部９１１と液晶パネル１との重なり幅に相当する幅寸法Ｗ１をもって液晶パネル１
とフレーム９の段部９１１とを両面テープ２８により接着することができる。従って、本
形態によれば、図７を参照して説明した構成に比較して、幅寸法Ｗ１２に相当する分だけ
、幅広に液晶パネル１をフレーム９の段部９１１上に両面テープ２８で接着することがで
きる。
【００４４】
しかも、両面テープ２８の外周縁２８ｅは、液晶パネル１の外周縁１ｅと重なる位置に
あるため、液晶パネル１と段部９１１とが重なっている領域の幅方向の全体を、両面テー
プ２８による液晶パネル１とフレーム９の段部９１１との接着領域として利用することが
できる。
【００４５】
それ故、本形態によれば、液晶パネル１を小型化しても液晶パネル１をフレーム９に確
実に固定することができるので、フレキシブル基板７を曲げたことに起因する反力や輸送
中の振動などの応力や、湿度変化に起因する応力が液晶パネル１に加わっても、液晶パネ
ル１がフレーム９Ｘの段部９１１から剥がれるという不具合や、液晶パネル１が段部９１
１から浮いてしまうという不具合が発生しない。従って、上金枠によって液晶パネル１を
フレーム９との間に挟持しなくてもよいので、上金枠を省略することができ、低コスト化
を図ることができる。
【００４６】
また、液晶パネル１とフレーム９の段部９１１とは両面テープ２８によって直接接着さ
れているため、液晶パネル１と下偏光板４２とを接着剤層で固定する必要がない。このた
め、製造工程数を減らすことができるので、低コスト化を図ることができる。しかも、液
晶パネル１と下偏光板４２とを固定する接着剤層を省略できるので、その分、液晶装置１
００の薄型化を図ることができる。
【００４７】
また、両面テープ２８は、段部９１１からフレーム９の内側に向けて張り出した張り出
し部分２８１を備え、張り出し部分２８１の表面は、液晶パネル１の裏面に接着し、張り
出し部分２８１の裏面は、複数枚の光学シート４０のうち、液晶パネル１側に位置する下
偏光板４２の表面側端部に接着されている。このため、両面テープ２８の張り出し部分２
８１によって、液晶パネル１と、下偏光板４２との固定を行なうことができる。
【００４８】
さらに、フレーム９は、光学シート４０などを裏面側で支持する底板部９２５（底部）
を備えている。このため、底板部９２５上に、反射シート２７、バックライト用の導光板
６、および光学シート４０を順次、落とし込んでいくことができるので、これらの部材を
フレームの内側に配置する作業を効率よく行なうことができる。
【００４９】
さらにまた、両面テープ２８は、遮光性両面テープであるため、照明装置８（バックラ
イト装置）からの光が光学シート４０を介さずに液晶パネル１に入射することや、照明装
置８からの光が光学シート４０や液晶パネル１を介さずに漏れてしまうことを防止するこ
とができる。
【００５０】
［実施の形態２］
実施の形態１では、液晶パネル１と下偏光板４２との間には、両面テープ２８の厚さに
相当する空気層（隙間１９）が形成されていたが、本形態では、かかる隙間１９に透光性
の充填材、例えば、アクリル樹脂などの充填材を充填しておく。かかる構成によれば、液
晶パネル１と下偏光板４２との間に空気層が介在しないので、界面での反射やニュートン
リングの発生を防止することができる。
【００５１】
［実施の形態３］
実施の形態１では、フレーム９において段部９１１は、４つの側板部９１７の３つの側
板部９１７にわたって連続して延在している構成であったが、フレーム９において段部９
１１が離間するように構成されている場合に本発明を適用してもよい。例えば、段部９１
１が側板部９１７の長さ方向の途中部分のみ、あるいは角部分のみに形成されている場合
に本発明を適用してもよい。
【００５２】
［他の実施の形態］
実施の形態１では、両面テープ２８の外周縁２８ｅと液晶パネル１の外周縁１ｅと重な
る位置にあったが、両面テープ２８の外周縁２８ｅが液晶パネル１の外周縁１ｅより外側
に位置する構成を採用してもよい。
【００５３】
また、実施の形態１では、液晶パネル１の裏面側に重ねて配置された光学シート４０の
うち、最も液晶パネル１側に配置された光学シートが下偏光板４２であったが、ポリマー
分散型液晶（ＰＤＬＣ／Polymer Dispersed Liquid Crystals）のように、偏光板を用い
ない液晶装置に本発明を適用してもよい。
【００５４】
［電子機器への搭載例］
次に、上述した実施形態に係る液晶装置１００を適用した電子機器について説明する。
図６（ａ）に、液晶装置１００を備えたモバイル型のパーソナルコンピュータの構成を示
す。パーソナルコンピュータ２０００は、表示ユニットとしての液晶装置１００と本体部
２０１０を備える。本体部２０１０には、電源スイッチ２００１及びキーボード２００２
が設けられている。図６（ｂ）に、液晶装置１００を備えた携帯電話機の構成を示す。携
帯電話機３０００は、複数の操作ボタン３００１及びスクロールボタン３００２、並びに
表示ユニットとしての液晶装置１００を備える。スクロールボタン３００２を操作するこ
とによって、液晶装置１００に表示される画面がスクロールされる。図６（ｃ）に、液晶
装置１００を適用した情報携帯端末（ＰＤＡ：Personal Digital Assistants）の構成を
示す。情報携帯端末４０００は、複数の操作ボタン４００１及び電源スイッチ４００２、
並びに表示ユニットとしての液晶装置１００を備える。電源スイッチ４００２を操作する
と、住所録やスケジュール帳といった各種の情報が液晶装置１００に表示される。
【００５５】
なお、液晶装置１００が適用される電子機器としては、図６に示すものの他、デジタル
スチルカメラ、液晶テレビ、ビューファインダ型、モニタ直視型のビデオテープレコーダ
、カーナビゲーション装置、ページャ、電子手帳、電卓、ワードプロセッサ、ワークステ
ーション、テレビ電話、ＰＯＳ端末、銀行端末などの電子機器などが挙げられる。そして
、これらの各種電子機器の表示部として、前述した液晶装置１００が適用可能である。
【図面の簡単な説明】
【００５６】
【図１】（ａ）、（ｂ）は各々、本発明の実施の形態１に係る液晶装置の平面図、およびその一部を拡大した平面図である。
【図２】本発明の実施の形態１に係る液晶装置の分解斜視図である。
【図３】（ａ）、（ｂ）は各々、本発明の実施の形態１に係る液晶装置を、図１のＡ１−Ａ１′線、およびＢ１−Ｂ１′線に相当する位置で切断したときの様子を模式的に示す断面図である。
【図４】本発明の実施の形態１に係る液晶装置を、図１のＣ１−Ｃ１′線に相当する位置で切断したときの断面図である。
【図５】（ａ）、（ｂ）は各々、本発明の実施の形態１に係る液晶装置を、図１のＥ１−Ｅ１′線に相当する位置で切断したときの断面図、およびその拡大断面図である。
【図６】本発明に係る入力機能付き表示装置を用いた電子機器の説明図である。
【図７】従来の液晶装置の断面図である。
【符号の説明】
【００５７】
１・・液晶パネル、３・・点状光源、６・・導光板、７・・フレキシブル基板、８・・照
明装置、９・・フレーム、２３・・散乱板（光学シート）、２４、２５・・プリズムシー
ト（光学シート）、２８・・両面テープ、４１・・上偏光板、４２・・下偏光板（光学シ
ート）、９１・・樹脂フレーム、９２・・金属フレーム、１００・・液晶装置、２８１・
・両面テープの張り出し部分、９１１・・樹脂フレームの段部、９１７・・樹脂フレーム
の側板部、９２７・・金属フレームの側板部、
【図１】
2010085548.tif 000003
【図２】
2010085548.tif 000004
【図３】
2010085548.tif 000005
【図４】
2010085548.tif 000006
【図５】
2010085548.tif 000007
【図６】
2010085548.tif 000008
【図７】
2010085548.tif 000009